(57)【要約】【課題】フリッカー発生を減少させるＰＤＰの画像表示方法及びその装置を提供する。【解決手段】本発明は、プラズマディスプレイパネルの画像表示方法及びその装置に関するものであって、複数個のサブフィールドを３個の連続的なサブフィールド群（Ｇ１，Ｇ２，Ｇ３）から構成し、入力映像信号の負荷率により、３個のサブフィールド群（Ｇ１，Ｇ２，Ｇ３）のうち、時間上二番目に位置するサブフィールド群（Ｇ２）と三番目に位置するサブフィールド群（Ｇ３）の開始時点を変化させる。【選択図】図９
2005134900.tif 000002
【特許請求の範囲】
【請求項１】
入力映像信号に対応して、プラズマディスプレイパネルに表示される各フレームの画像を複数個のサブフィールドに分け、前記サブフィールドの輝度比重値を組み合わせて階調を表示するプラズマディスプレイパネルの画像表示方法において、
前記複数個のサブフィールドは、３個の連続的なサブフィールド群から構成され、
前記入力映像信号の負荷率によって、前記３個のサブフィールド群のうち、時間上二番目に位置するサブフィールド群と三番目に位置するサブフィールド群の開始時点が変化することを特徴とするプラズマディスプレイパネルの画像表示方法。
【請求項２】
入力映像信号に対応して、プラズマディスプレイパネルに表示される各フレームの画像を複数個のサブフィールドに分け、前記サブフィールドの輝度比重値を組み合わせて階調を表示するプラズマディスプレイパネルの画像表示方法において、
前記複数個のサブフィールドは、３個の連続的なサブフィールド群から構成され、
前記入力映像信号の負荷率が特定値以上である場合、フレーム内及びフレーム間に各々形成されるサブフィールド群の発光中心が周期的に形成されるようにすることを特徴とするプラズマディスプレイパネルの画像表示方法。
【請求項３】
前記３個のサブフィールド群のうちの時間上二番目に位置するサブフィールド群のサブフィールドの輝度比重値が、前記３個のサブフィールド群のうちの時間上一番目に位置するサブフィールド群の最下位サブフィールドの輝度比重値、及び三番目に位置するサブフィールド群の最下位サブフィールドの輝度比重値のうちのいずれか一つより小さいことを特徴とする請求項１又は２に記載のプラズマディスプレイパネルの画像表示方法。
【請求項４】
前記３個のサブフィールド群のうちの時間上二番目に位置するサブフィールド群と三番目に位置するサブフィールド群の開始時点は、時間上一番目に位置するサブフィールド群の発光中心から前記三番目に位置するサブフィールド群の発光中心までの時間と、前記三番目に位置するサブフィールド群の発光中心から次のフレームにおいて時間上一番目に位置するサブフィールド群の発光中心までの時間とが近づくように変化することを特徴とする請求項１乃至３のうちのいずれか一つに記載のプラズマディスプレイパネルの画像表示方法。
【請求項５】
前記３個のサブフィールド群のうちの時間上二番目に位置するサブフィールド群と三番目に位置するサブフィールド群の開始時点は、前記一番目に位置するサブフィールド群の最上位サブフィールドの開始時点から前記三番目に位置するサブフィールド群の最上位サブフィールドの開始時点までの時間と、前記三番目に位置するサブフィールド群の最上位サブフィールドの開始時点から次のフレームにおいて時間上一番目に位置するサブフィールド群の最上位サブフィールドの開始時点までの時間とが近づくように変化することを特徴とする請求項４に記載のプラズマディスプレイパネルの画像表示方法。
【請求項６】
前記３個のサブフィールド群のうちの時間上二番目に位置するサブフィールド群と三番目に位置するサブフィールド群の開始時点は、前記一番目に位置するサブフィールド群の最上位サブフィールドの開始時点から前記三番目に位置するサブフィールド群の最上位サブフィールドの開始時点までの時間と、前記三番目に位置するサブフィールド群の最上位サブフィールドの開始時点から次のフレームにおいて時間上一番目に位置するサブフィールド群の最上位サブフィールドの開始時点までの時間とが同一になるように変化することを特徴とする請求項５に記載のプラズマディスプレイパネルの画像表示方法。
【請求項７】
前記３個のサブフィールド群のうちの時間上二番目に位置するサブフィールド群と三番目に位置するサブフィールド群の開始時点は、前記一番目に位置するサブフィールド群の最上位サブフィールドの開始時点までの時間と、前記三番目に位置するサブフィールド群の最上位サブフィールドの開始時点から次のフレームにおいて時間上一番目に位置するサブフィールド群の最上位サブフィールドの開始時点までの時間との差が、所定の範囲内になるように変化することを特徴とする請求項５に記載のプラズマディスプレイパネルの画像表示方法。
【請求項８】
前記負荷率が大きくなるにしたがって、前記二番目に位置するサブフィールド群及び三番目に位置するサブフィールド群の開始時点が、時間上、各々繰り上げられることを特徴とする請求項１乃至３のうちのいずれか一つに記載のプラズマディスプレイパネルの画像表示方法。
【請求項９】
１つのフレーム全体のサブフィールドデータにおける下位ビットに該当するサブフィールドが、前記二番目に位置するサブフィールド群に含まれることを特徴とする請求項１乃至３のうちのいずれか一つに記載のプラズマディスプレイパネルの画像表示方法。
【請求項１０】
前記下位ビットは、前記フレーム全体のサブフィールドデータにおける最下位ビットを含むことを特徴とする請求項９に記載のプラズマディスプレイパネルの画像表示方法。
【請求項１１】
前記下位ビットは、前記フレーム全体のサブフィールドデータにおける最下位ビットの次に大きいビットを含むことを特徴とする請求項９に記載のプラズマディスプレイパネルの画像表示方法。
【請求項１２】
前記３個のサブフィールド群のうちの一つのサブフィールド群と、残りの二つのサブフィールド群とが互いに異なる輝度比重値を有するサブフィールドからなることを特徴とする請求項１乃至３のうちのいずれか一つに記載のプラズマディスプレイパネルの画像表示方法。
【請求項１３】
前記３個のサブフィールド群のうちの前記一番目に位置するサブフィールド群と、前記三番目に位置するサブフィールド群とが、同一の輝度比重値を有するサブフィールドからなることを特徴とする請求項１乃至３のうちのいずれか一つに記載のプラズマディスプレイパネルの画像表示方法。
【請求項１４】
入力映像信号に対応して、プラズマディスプレイパネルに表示される各フレームの画像を複数個のサブフィールドに分け、前記サブフィールドの輝度比重値を組み合わせて階調を表示するプラズマディスプレイパネルの画像表示装置において、
前記入力映像信号をデジタル化し、デジタル映像データを生成する映像信号処理部と、
前記映像信号処理部から出力されるデジタル映像データを分析して、入力される映像データがＮＴＳＣ信号であるかＰＡＬ信号であるかを識別し、識別結果をデータスイッチ値として前記デジタル映像データと共に出力する垂直周波数検出部と、
前記垂直周波数検出部で生成されるデジタル映像データ、及び前記データスイッチ値を受信して、前記データスイッチ値によって識別されるＮＴＳＣ映像信号又はＰＡＬ映像信号に応じてサブフィールドデータを生成するものであって、ＰＡＬ映像信号の場合には三個の連続的なサブフィールド群から構成されている複数のサブフィールドに対応するサブフィールドデータを生成するメモリ制御部と、
前記サブフィールドデータに対応するアドレスデータを生成するアドレス駆動部と、
前記デジタル映像データの負荷率を検出し、検出された負荷率によって自動電力制御レベルを計算し、計算された自動電力制御レベルに対応するサステインパルス数を算出して出力する自動電力制御部と、
前記負荷率によって各サブフィールドの可変範囲を判断し、判断された可変範囲内で各サブフィールドの開始位置を決定するサブフィールド可変範囲判断部と、
前記サステインパルス数、前記アドレスデータ、前記各サブフィールドの開始位置、及び前記データスイッチ値を受信して、前記データスイッチ値によってＮＴＳＣ映像信号である場合とＰＡＬ映像信号である場合とに分離して、各々サブフィールド配列を生成する維持・走査パルス駆動制御部と、
生成されたサブフィールド配列に基づく制御信号を生成してプラズマディスプレイパネルに印加する維持・走査パルス駆動部と、を含むことを特徴とするプラズマディスプレイパネルの画像表示装置。
【請求項１５】
前記３個のサブフィールド群のうちの時間上二番目に位置するサブフィールド群のサブフィールドの輝度比重値が、前記３個のサブフィールド群のうちの時間上一番目に位置するサブフィールド群の最下位サブフィールドの輝度比重値、及び三番目に位置するサブフィールド群の最下位サブフィールドの輝度比重値のうちのいずれか一つより小さくなることを特徴とする請求項１４に記載のプラズマディスプレイパネルの画像表示装置。
【請求項１６】
前記サブフィールド可変範囲判断部は、前記負荷率が大きくなるにしたがって、前記二番目に位置するサブフィールド群及び三番目に位置するサブフィールド群の開始時点が、時間上、各々繰り上げられるように設定することを特徴とする請求項１４又は１５に記載のプラズマディスプレイパネルの画像表示装置。
【発明の詳細な説明】
【技術分野】
【０００１】
本発明は、プラズマディスプレイパネル（Plasma Display Panel：以下、ＰＤＰと称する）の画像表示方法及びその装置に係り、特に、５０ＨｚのＰＡＬ（Phase Alternating by Line）映像信号を入力して画像を表示する場合に発生するフリッカー及び擬似輪郭を低減するＰＤＰの画像表示方法及びその装置に関するものである。
【背景技術】
【０００２】
ＰＤＰは、複数個の放電セルをマトリックス形状に配列してこれを選択的に発光させることにより、電気信号として入力された画像データを復元させるディスプレイ素子の一つの種類である。
【０００３】
このようなＰＤＰがカラー表示装置として機能するためには、階調表示が可能でなければならず、階調表示を実現する方法として、一つのフィールド（フレーム）を複数個のサブフィールドに分け、これらを時分割制御する方法が用いられている。この方法によれば、各サブフィールドに、所定の輝度比重値（輝度重み：ｗｅｉｇｈｔ）を割り付けて、それぞれのサブフィールドが選択的に発光されるように制御することによって階調表示が達成される。割り付けの方法としては、輝度比重値が低いものから順に配列していく最小増加配列、および輝度比重値が高いものから順に配列していく最小減少配列が広く知られている。
【０００４】
一方、ＰＤＰに限らず表示装置においては、フリッカー（ちらつき）のない高品質な画像が要求される。フリッカーは、人間の視覚特性と密接な関連があり、一般的に、画面が大きいほど、また周波数が低いほど、感知されやすいことが知られている。
【０００５】
ＰＤＰに入力される映像信号には、例えば、周波数が５０ＨｚであるＰＡＬ方式の信号と、周波数が６０ＨｚであるＮＴＳＣ方式の信号とがある。大画面のＰＤＰにおいて、ＰＡＬ映像信号の画像を表示する場合、画面が大きくて周波数が低いという上記の二つの条件が満たされるため、多量のフリッカーが発生しやすい。特に、上述したように、ＰＤＰで用いられる通常のサブフィールド配列である最小増加配列又は最小減少配列を利用して、垂直周波数５０ＨｚでＰＤＰを駆動すると、多量のフリッカーが発生する。
【０００６】
このようなフリッカーの発生を減少させるためには、上記の二つの条件が満たされないようにしなければならない。しかしながら、第一の条件である画面の大きさは調整できないので、第二の条件である周波数を調整することによってフリッカーを低減する必要がある。
【０００７】
このような考えに基づいて、周波数を調整してフリッカー発生を低減させるための従来の方法としては、特許文献１に示される方法が知られている。この特許文献１に示される方法では、５０Ｈｚの映像信号を入力してＰＤＰを駆動する際に発生するフリッカー（大画面フリッカー）を低減するために、添付した図１に示されているように、１フレーム内のサブフィールドを２個のサブフィールド群（Ｇ１、Ｇ２）に分け、各サブフィールド群のサブフィールド配列が、ＬＳＢ（Least Significant Bit：最下位ビット）サブフィールド（最下位サブフィールド）を除いて、同一な構造を有するように設定したり、又は各サブフィールド群のサブフィールドに、輝度比重値（weight）を類似するように分配することを特徴とする。
【０００８】
このようなサブフィールド配列によれば、輝度比重値の変化の増減が１フレーム内に２サイクル存在するので、従来の最小増加配列又は最小減少配列などのサブフィールド配列と比較すると、輝度比重値の変化の周期が２倍になっており、見かけ上の周波数が増加する。したがって、このような方法は、従来の最小増加配列又は最小減少配列などのサブフィールド配列に比して、フリッカーを低減する効果が非常に大きい。特に、第１サブフィールド群（Ｇ１）の輝度比重値が最も高いサブフィールドの発光中心位置と、第２サブフィールド群（Ｇ２）の輝度比重値が最も高いサブフィールドの発光中心位置との時間間隔が、連続したフレームを通して周期性を有するようにすることで、フリッカーを減少させる効果を高めることができる。
【０００９】
図１に示す従来のサブフィールド配列においては、１フレームの期間は総２０ｍｓであり、各サブフィールド群（Ｇ１、Ｇ２）の期間は１０ｍｓに固定される。休止期間は２つ存在し、一つはフレーム期間の終端、つまり第２サブフィールド群（Ｇ２）の終端に位置し、他の一つは二つのサブフィールド群（Ｇ１、Ｇ２）の間、つまり第１サブフィールド群（Ｇ１）の終端に位置する。
【００１０】
図２は、図１に示されたサブフィールド配列を利用して一部の低階調を実現した例を示した図である。
【００１１】
図２に示されているように、低階調、例えば０乃至１１のレベルの低階調を図１に示されたサブフィールド配列を利用して表現する場合、ＬＳＢ及びＬＳＢ＋１に該当するサブフィールド間の時間差は数ｍｓ程度となる。
【００１２】
例えば、レベル３の低階調を表示する場合、第１サブフィールド群（Ｇ１）の最下位サブフィールドＳＦ１（階調レベル１）がオンされ、第２サブフィールド群（Ｇ２）の最下位サブフィールドがＳＦ１（階調レベル２）がオンされる。ここで、ＬＳＢのサブフィールド(階調レベル１）は第１サブフィールド群（Ｇ１）の先頭に、ＬＳＢ＋１のサブフィールド（階調レベル２）は第２サブフィールド群（Ｇ２）の先頭に配列されており、各サブフィールド群（Ｇ１，Ｇ２）の期間は上述した通り１０ｍｓに固定されているので、これらＬＳＢ及びＬＳＢ＋１に該当するサブフィールド間の時間差も１０ｍｓとなり、その差が非常に大きい。
【００１３】
一般に、アナログ映像信号をデジタル変換して階調表示を行う場合、実際の階調と変換された階調との誤差を補正するために、生じた誤差を近辺の画素に分散する誤差拡散が行われる場合が多い。上記の特許文献１に記載のサブフィールド配列を用いて誤差拡散を適用した場合、低階調を表現すると、ＬＳＢ及びＬＳＢ＋１に該当するサブフィールド間の時間差が数ｍｓ程度に大きく、このようなＬＳＢ及びＬＳＢ＋1は、発光持続時間も短いため、画像が移動すると、階調と階調との境界で過度な擬似輪郭が人間の視覚によって感知されやすいという問題点がある。
【００１４】
添付した図３は、上記特許文献１のサブフィールド配列を用いた場合において、隣接するフレームの階調が４と３である場合に、画像が移動した時に発生する擬似輪郭を説明する概念図である。具体的には、図３は、画像がフレームＮからフレームＮ＋１に移動した場合を示す。人間の目は、動画を追う際に連続するフレームＮとＮ＋１の画像を合せた状態で認識する場合がある。人間の目が図３の斜線で示された方向に画像を追うと、認識される階調は、斜線が通過する際に発光している（オンとなっている）サブフィールドの平均値となる。図の右下に示された折れ線に示された数値が認識される階調、すなわち歪曲された階調であり、左から順に４，２，３，１，２，２．５，３となっている。従って、画像が移動する時に擬似輪郭が発生する地点は、２，３，１，２，２．５の階調を有する総５地点であり、元の階調の最高階調であるレベル４と、歪曲された階調との差は、発生地点によって各々２、１、３、２、１.５となる。このような差は、発生した擬似輪郭の発生強度を示す。画像の移動時にこのように歪曲された階調はカラー（color）のねじれとして現れ、人間の視覚には、輪郭の形状を有するカラーのねじれとして認識される。
【００１５】
一方、前記特許文献１における問題点を解決するための技術として、特許文献２が開示されている。この特許文献２では、添付した図４に示されているように、１フレーム内のサブフィールドを３個のサブフィールド群（Ｇ１、Ｇ２、Ｇ３）に分け、３個のサブフィールド群のうちの一のサブフィールド群（Ｇ２）の輝度比重値が、残りの二つのサブフィールド群（Ｇ１、Ｇ３）の最下位サブフィールドの輝度比重値より小さくなるように設定することを特徴とする。このような方法は、特許文献１のように複数のサブフィールドを２つのサブフィールド群に分離する技術に比べて、擬似輪郭を効果的に低減することができ、また、従来の最小増加配列や最小減少配列などのサブフィールド配列に比べて、フリッカーを低減する効果が高い。
【００１６】
図４に示されるとおり、１フレームの期間は総２０ｍｓであり、第１サブフィールド群（Ｇ１）は０ｍｓから開始して８.５ｍｓ以内で終了し、第２サブフィールド群（Ｇ２）は８.５ｍｓから開始して１０.８ｍｓ以内で終了し、第３サブフィールド群（Ｇ３）は１０.８ｍｓから開始して２０ｍｓ以内で終了する。休止期間は３個が存在し、３個のサブフィールド群（Ｇ１、Ｇ２、Ｇ３）の終端に各々位置する。
【００１７】
図５は、図４に示されたサブフィールド配列を利用して一部の低階調を実現した例を示した図である。
【００１８】
図５に示されているように、低階調、例えば０乃至１１のレベルの低階調を図４に示されたサブフィールド配列を利用して表現する場合、低階調を表現するＬＳＢ及びＬＳＢ＋１に該当するサブフィールドが真中のサブフィールド群（Ｇ２）に位置するので、ＬＳＢ及びＬＳＢ＋１に該当するサブフィールド間の時間差を減らすことができ、これによって低階調に示された画像が移動する場合に、階調と階調との境界で擬似輪郭が著しく減少する。
【００１９】
一方、ＰＤＰでは、その駆動特性上、消費電力が高いため、表示されるフレームの負荷率（load  ratio）又は平均信号レベル（average  signal  level）によって消費電力を制御する自動電力制御（Automatic  Power  Control、以下、「ＡＰＣ」と称する）技法が用いられる。このようなＡＰＣ法は、入力映像データの負荷率に応じてＡＰＣレベルを異なるように設定し、各ＡＰＣレベル別にサステインパルス（維持放電パルス）の数を変化させることによって消費電力を一定のレベル以下に制限する方法である。ここで、「サステインパルス」は放電を維持させるためのパルスであり、各フィールドの輝度は印加されるサステインパルスの数に比例し、またＰＤＰの消費電力もサステインパルスの数に比例する。また、「負荷率」は、入力映像信号の平均信号レベルに対応し、個々のフレーム別に求められ、一つのフレームで発光される画素の数に比例する。
【００２０】
このようなＡＰＣ法によれば、負荷率に応じて各サブフィールドに適用されるサステインパルス数が変化する。図４に示された３個のサブフィールド群をもつサブフィールド配列を参照すれば、負荷率に応じて各サブフィールド群（Ｇ１、Ｇ２、Ｇ３）に印加される総サステインパルス数が変化する。このとき、各サブフィールドは、そのサブフィールドが有している輝度比重値に応じたサステインパルス数を有するので、結局、各サブフィールドに適用されるサステインパルス数も変化する。
【００２１】
図６は、図４に示された従来のサブフィールド配列における負荷率別のサブフィールドの位置及び発光の中心位置を示した図である。図６（ａ）は負荷率が最小である場合、（ｂ）は負荷率が最大である場合を示した図である。
【００２２】
図６の（ａ）及び（ｂ）に示されているように、負荷率が最小である場合、第１サブフィールド群（Ｇ１）から第３サブフィールド群（Ｇ３）までの発光中心位置間の時間差（Ａ）が、第３サブフィールド群（Ｇ３）から第１サブフィールド群（Ｇ１）までの発光中心位置間の時間差（Ｂ）に比して大きく、負荷率が最大である場合、第１サブフィールド群（Ｇ１）から第３サブフィールド群（Ｇ３）までの発光中心位置間の時間差（Ｃ）が、第３サブフィールド群（Ｇ３）から第１サブフィールド群（Ｇ１）までの発光中心位置間の時間差（Ｄ）に比して大きい。したがって、負荷率に関係なく、サブフィールド群のうち輝度比重値の大きい二つのサブフィールド群（Ｇ１、Ｇ３）の発光中心位置間の時間差は、１つのフレーム内での時間差（Ａ，Ｃ）が、隣接する二つのフレーム間にかかる時間差（Ｂ，Ｄ）に比して大きいことが分かる。
【００２３】
このように、１フレームを３個のサブフィールド群に分割する従来技術では、各サブフィールド群の開始地点（Ｓｔ＿２、Ｓｔ＿３）が固定されているため、サブフィールドの組み合わせによるサブフィールド群間の発光中心の位置が周期性を失うようになり、フリッカーが発生しやすいという問題点がある。
【特許文献１】大韓民国特許出願公開２０００−１６９５５号明細書
【特許文献２】大韓民国特許出願公開２００３−３９２８２号明細書
【発明の開示】
【発明が解決しようとする課題】
【００２４】
本発明の目的は前記従来の問題点を解決するためのものであって、５０ＨｚのＰＡＬ映像信号用サブフィールド配列による駆動時、映像フレームを構成する３個のサブフィールド群の開始位置を当該映像フレームの負荷率に応じて変化し、サブフィールド群間の発光中心が周期的に形成されるようにすることによって、フリッカー発生を減少させるＰＤＰの画像表示方法及びその装置を提供することにある。
【課題を解決するための手段】
【００２５】
前記目的を達成するための本発明の一形態によるＰＤＰの画像表示方法は、入力映像信号に対応して、プラズマディスプレイパネルに表示される各フレームの画像を複数個のサブフィールドに分け、前記サブフィールドの輝度比重値を組み合わせて階調を表示するプラズマディスプレイパネルの画像表示方法であって、前記複数個のサブフィールドは、各々３個の連続的なサブフィールド群から構成され、前記入力映像信号の負荷率によって、前記３個のサブフィールド群のうち、時間上二番目に位置するサブフィールド群と三番目に位置するサブフィールド群の開始時点が変化することを特徴とする。
【００２６】
また、本発明の他の形態によるＰＤＰの画像表示方法は、入力映像信号に対応して、ＰＤＰに表示される各フレームの画像を複数個のサブフィールドに分け、前記サブフィールドの輝度比重値を組み合わせて階調を表示するＰＤＰの画像表示方法であって、前記複数個のサブフィールドは、各々３個の連続的なサブフィールド群から構成され、前記入力映像信号の負荷率の変動によらず、フレーム内及びフレーム間に各々形成されるサブフィールド群間の発光中心が周期的に形成されるようにすることを特徴とする。
【００２７】
ここで、前記３個のサブフィールド群のうち、時間上二番目に位置するサブフィールド群のサブフィールドの輝度比重値が、前記３個のサブフィールド群のうちの時間上一番目に位置するサブフィールド群の最下位サブフィールドの輝度比重値、及び三番目に位置するサブフィールド群の最下位サブフィールドの輝度比重値より小さいことを特徴とする。
【００２８】
また、前記３個のサブフィールド群のうち、時間上二番目に位置するサブフィールド群と三番目に位置するサブフィールド群の開始時点は、前記一番目に位置するサブフィールド群の発光中心から前記三番目に位置するサブフィールド群の発光中心までの時間と、前記三番目に位置するサブフィールド群の発光中心から次のフレームにおいて時間上一番目に位置するサブフィールド群の発光中心までの時間とが近づくように変化する（周期性を有する範囲内で変化する）ことが好ましい。
【００２９】
また、前記３個のサブフィールド群のうち、時間上二番目に位置するサブフィールド群と三番目に位置するサブフィールド群の開始時点は、前記一番目に位置するサブフィールド群のＭＳＢ（Most  Significant  Bit）サブフィールド（最上位サブフィールド）の開始時点から前記三番目に位置するサブフィールド群のＭＳＢサブフィールドの開始時点までの時間と、前記三番目に位置するサブフィールド群のＭＳＢサブフィールドの開始時点から次のフレームにおいて時間上一番目に位置するサブフィールド群のＭＳＢサブフィールドの開始時点までの時間とが近づくように変化する（周期性を有する範囲内で変化する）ことが好ましい。
【００３０】
また、前記３個のサブフィールド群のうち、時間上二番目に位置するサブフィールド群と三番目に位置するサブフィールド群の開始時点は、前記一番目のサブフィールド群のＭＳＢサブフィールドの開始時点から前記二番目のサブフィールド群のＭＳＢサブフィールドの開始時点までの時間と、前記三番目のサブフィールド群のＭＳＢサブフィールドの開始時点から次のフレームにおいて時間上一番目に位置するサブフィールド群のＭＳＢサブフィールドの開始時点までの時間とが同一になるように変化することが好ましい。
【００３１】
また、前記３個のサブフィールド群のうち、時間上二番目に位置するサブフィールド群と三番目に位置するサブフィールド群の開始時点は、前記一番目のサブフィールド群のＭＳＢサブフィールドの開始時点から前記三番目のサブフィールド群のＭＳＢサブフィールドの開始時点までの時間と、前記三番目のサブフィールド群のＭＳＢサブフィールドの開始時点から次のフレームにおいて時間上一番目に位置するサブフィールド群のＭＳＢサブフィールドの開始時点までの時間との差が、所定の範囲内となるように変化するのが好ましい。
【００３２】
また、前記負荷率の大きい場合における前記二番目に位置するサブフィールド群及び三番目に位置するサブフィールド群の開始時点が、前記負荷率の小さい場合における前記二番目に位置するサブフィールド群及び三番目に位置するサブフィールド群の開始時点より各々時間上前に位置するように、前記二番目に位置するサブフィールド群及び三番目に位置するサブフィールド群の開始時点が変化するのが好ましい。すなわち、負荷率が大きくなるのにしたがって、前記二番目に位置するサブフィールド群及び三番目に位置するサブフィールド群の開始時点が時間上、各々繰り上げられることが好ましい。
【００３３】
また、１つのフレーム全体のサブフィールドデータにおける下位ビットに該当するサブフィールドが、前記二番目に位置するサブフィールド群に含まれることが好ましい。
【００３４】
また、前記下位ビットは、前記フレーム全体のサブフィールドデータにおける最下位ビット（ＬＳＢ）及び最下位ビットの次に大きいビット（ＬＳＢ＋１）であることが好ましい。
【００３５】
また、前記３個のサブフィールド群のうちの一つのサブフィールド群と、残りの二つのサブフィールド群とが互いに異なる輝度比重値を有するサブフィールドからなることが好ましい。
【００３６】
また、前記３個のサブフィールド群のうちの時間上一番先に位置する一番目のサブフィールド群と、時間上最後に位置する三番目のサブフィールド群とが、同一な輝度比重値を有するサブフィールドからなることが好ましい。
【００３７】
本発明の他の形態によるＰＤＰの画像表示装置は、入力映像信号に対応して、プラズマディスプレイパネルに表示される各フレームの画像を複数個のサブフィールドに分け、前記サブフィールドの輝度比重値を組み合わせて階調を表示するプラズマディスプレイパネルの画像表示装置であって、前記入力映像信号をデジタル化し、デジタル映像データを生成する映像信号処理部と、前記映像信号処理部から出力されるデジタル映像データを分析して、入力される映像データがＮＴＳＣ信号であるかＰＡＬ信号であるかを識別し、識別結果をデータスイッチ値として前記デジタル映像データと共に出力する垂直周波数検出部と、前記垂直周波数検出部で生成されるデジタル映像データ、及び前記データスイッチ値を受信して、前記データスイッチ値によって識別されるＮＴＳＣ映像信号又はＰＡＬ映像信号に応じてサブフィールドデータを生成するものであって、ＰＡＬ映像信号の場合には三個の連続的なサブフィールド群から構成されている複数のサブフィールドに対応するサブフィールドデータを生成するメモリ制御部と、前記サブフィールドデータに対応するアドレスデータを生成するアドレス駆動部と、前記デジタル映像データの負荷率を検出し、検出された負荷率によってＡＰＣ（Automatic  Power  Control：自動電力制御）レベルを計算し、計算されたＡＰＣレベルに対応するサステインパルス数を算出して出力するＡＰＣ部(自動電力制御部）と、前記ＡＰＣ部から出力される負荷率によって各サブフィールドの可変範囲を判断し、判断された可変範囲内で各サブフィールドの開始位置を決定するサブフィールド可変範囲判断部と、前記サステインパルス数、前記アドレスデータ、前記各サブフィールドの開始位置、及び前記データスイッチ値を受信して、前記データスイッチ値によってＮＴＳＣ映像信号である場合とＰＡＬ映像信号である場合とに分離して、各々サブフィールド配列を生成する維持・走査パルス駆動制御部と、生成されたサブフィールド配列に基づく制御信号を生成してプラズマディスプレイパネルに印加する維持・走査パルス駆動部と、を含む。
【発明の効果】
【００３８】
本発明によれば、サブフィールド群の発光中心間の時間差が周期的に維持され、フリッカーの発生が著しく減少する。
【００３９】
また、５０ＨｚＰＡＬの映像信号によって表示される映像に対し、サブフィールドデータの最下位ビット（ＬＳＢ）及び最下位ビットの次に大きいビット（ＬＳＢ＋１）間の時間差を減らすことにより、低階調領域の擬似輪郭発生が著しく減少する。
【発明を実施するための最良の形態】
【００４０】
以下では、添付した図面を参照して、本発明の実施の形態について、本発明の属する技術分野における通常の知識を有する者が容易に実施できるように詳細に説明する。しかし、本発明は、種々の異なる形態で実現することができ、ここで説明する実施の形態に限定されない。図面においては、本発明を明確に説明するために、説明と関係のない部分は省略した。明細書全体を通じて類似した部分については同一な図面符号を付けた。
【００４１】
まず、添付した図面を参照して、本発明の実施の形態によるＰＤＰの画像表示方法について詳細に説明する。
【００４２】
図７は、本発明の実施の形態によるサブフィールド配列を示した図である。
【００４３】
図７に示されているように、本発明の実施の形態において、複数のサブフィールドは、３個の独立したサブフィールド群（Ｇ１、Ｇ２、Ｇ３）から構成される。また、垂直ブランキング区間である休止期間（ＩＤＬＥ１、ＩＤＬＥ２、ＩＤＬＥ３）も３個存在する。つまり、第１サブフィールド群（Ｇ１）の休止期間（ＩＤＬＥ１）、第２サブフィールド群（Ｇ２）の休止期間（ＩＤＬＥ２）、及び第３サブフィールド群（Ｇ３）の休止期間（ＩＤＬＥ３）が各サブフィールド群（Ｇ１、Ｇ２、Ｇ３）の終端に位置する。
【００４４】
二つのサブフィールド群、具体的には、時間上一番目に位置する第１サブフィールド群（Ｇ１）と、時間上三番目に位置する第３サブフィールド群（Ｇ３）とは、同一なサブフィールド構造を有し、各々６個のサブフィールドからなる。このような６個のサブフィールドの輝度比重値は、下位サブフィールドから４、８、１６、２４、３２、４０に設定される。すなわち、時間上一番先に位置する第１サブフィールド群（Ｇ１）と、時間上最後に位置する第３サブフィールド群（Ｇ３）とが、互いに同一な輝度比重値を有するサブフィールドからなる。しかしながら、使用形態によって当業者によって変更することができる。
【００４５】
一方、第２サブフィールド群（Ｇ２）は２個のサブフィールドのみを有し、その輝度比重値はレベル１、２である。したがって、３個のサブフィールド群（Ｇ１，Ｇ２，Ｇ３）のうち一つのサブフィールド群（Ｇ２）と、残りの二つのサブフィールド群（Ｇ１，Ｇ３）とが異なる輝度比重値を有するサブフィールドから構成されている。この例では、第２サブフィールド群の２個のサブフィールドの輝度比重値の全て（レベル１，２）が、第１サブフィールド群（Ｇ１）の最下位サブフィールドの輝度比重値と第３サブフィールド群（Ｇ３）の最下位サブフィールドの輝度比重値のいずれよりも小さくなるように設定されている。しかしながら、第２サブフィールド群（Ｇ２）の構成は、この場合に限らず、第１サブフィールド群（Ｇ１）と第３サブフィールド群（Ｇ３）に設定された輝度比重値に応じて、当業者によって異なるように設定することができる。たとえば、第２サブフィールド群のサブフィールドの輝度比重値が、第１サブフィールド群（Ｇ１）の最下位サブフィールドの輝度比重値、及び第３サブフィールド群（Ｇ３）の最下位サブフィールドの輝度比重値のうちいずれか一つよりも小さくなるように設定されてもよい。
【００４６】
また、第２サブフィールド群（Ｇ２）のサブフィールドが、全体フレームのサブフィールドのうちのＬＳＢ及びＬＳＢ＋１サブフィールドに該当するように設定できる。言い換えれば、１つのフレーム全体のサブフィールドデータ（各サブフィールドに与えられる輝度値の全体）における下位ビットに該当するサブフィールドが第２サブフィールド群（Ｇ２）に含まれ、好適には、各サブフィールドデータの下位ビットには、フレーム全体のサブフィールドデータにおける最下位ビット（ＬＳＢ）及び最下位ビットの次に大きいビット（ＬＳＢ＋１）が含まれる。ここではＬＳＢ及びＬＳＢ＋１に限定して説明しているが、本発明の技術的範囲はこの場合に限定されず、その以上の下位ビットに対応するサブフィールドが第２サブフィールド群（Ｇ２）に含まれる場合に対しても適用することができる。
【００４７】
ここで、第１サブフィールド群（Ｇ１）に該当する時間及び休止期間（ＩＤＬＥ１）を含む第１時間（Ｔｉｍｅ  Ａ）と、第２サブフィールド群（Ｇ２）に該当する時間及び休止期間（ＩＤＬＥ２）を含む第２時間（Ｔｉｍｅ  Ｂ）と、第３サブフィールド群（Ｇ３）に該当する時間及び休止期間（ＩＤＬＥ３）を含む第３時間（Ｔｉｍｅ  Ｃ）との合計は、１フレームの時間、つまり２０ｍｓになるように設定される。
【００４８】
また、第１時間（Ｔｉｍｅ  Ａ）は第３時間（Ｔｉｍｅ  Ｃ）と同一に設定されるのが好ましいが、第１時間（Ｔｉｍｅ  Ａ）と第３時間（Ｔｉｍｅ  Ｃ）が近似するように設定してもよい。言い換えれば、第１時間（Ｔｉｍｅ  Ａ）が第３時間（Ｔｉｍｅ  Ｃ）より多少長く設定されても良く、又は第３時間（Ｔｉｍｅ  Ｃ）が第１時間（Ｔｉｍｅ  Ａ）より多少長く設定されても良い。
【００４９】
また、第１時間（Ｔｉｍｅ  Ａ）及び第３時間（Ｔｉｍｅ  Ｃ）の双方とも、第２時間（Ｔｉｍｅ  Ｂ）より長く設定される。したがって、各サブフィールド群（Ｇ１、Ｇ２、Ｇ３）に対応する休止期間においても、休止期間（ＩＤＬＥ１）及び休止期間（ＩＤＬＥ３）の双方ともが、休止期間（ＩＤＬＥ２）より長く設定される。
【００５０】
以上のように、１フレームを分割した３個のサブフィールド群（Ｇ１、Ｇ２、Ｇ３）は、対応する休止期間を含む時間について固定されるだけであり、第１サブフィールド群（Ｇ１）を除いた残りのサブフィールド群（Ｇ２、Ｇ３）は、設定された時間によってその開始位置が変化することができる。具体的には、後述するように、入力映像信号の付加率によって、３個のサブフィールド群（Ｇ１，Ｇ２，Ｇ３）のうち、時間上二番目に位置するサブフィールド群（Ｇ２）と三番目に位置するサブフィールド群（Ｇ３）の開始時点が変化しうる。
【００５１】
図８は、本発明の実施の形態によるサブフィールド配列を用いた場合において、隣接するフレームの階調が４と３である場合に、画像が移動した時に発生する擬似輪郭を説明する概念図である。具体的には、図８は、画像がフレームＮからフレームＮ＋１に移動した場合を示す。擬似輪郭の概念については、図３などに示された場合と同様であるので、詳しい説明を省略する。
【００５２】
図８の右下に示された折れ線に示された数値が認識される階調、すなわち歪曲された階調であり、左から順に４，２，３．５，１．５，３となっている。従って、画像が移動する時の擬似輪郭が発生する地点は、２，３．５，１．５の階調を有する総３地点であり、元の階調の最高階調であるレベル４と、歪曲された階調との差は、発生地点によって各々２、０．５、２．５となる。これは、図３を参照して説明した従来のＰＤＰのサブフィールド配列に比して、発生する擬似輪郭の個数が２個も減少し、歪曲された階調と元階調との差も半分程度の水準まで減少することが分かる。
【００５３】
したがって、本発明の実施の形態によるサブフィールド配列では、従来のＰＤＰのサブフィールド配列の場合に比して擬似輪郭発生が非常に減少する。
【００５４】
一方、本発明の実施の形態によるサブフィールド配列において、負荷率によってＡＰＣ（自動電力制御：Automatic  Power  Control）が行われる場合のサブフィールド配列と、これに伴うサブフィールド群の位置、及びその発光中心について説明する。
【００５５】
図９は、本発明の実施の形態によるサブフィールド配列のＡＰＣによる変形形態を示した図であって、（ａ）は負荷率が最小である場合であり、（ｂ）は負荷率が最大である場合である。負荷率の最大値および最小値は、ＡＰＣの設計に応じて定めれる特定値である。
【００５６】
図９の（ａ）を参照すれば、負荷率が最小である場合には、維持放電に用いられるサステインパルス（維持放電パルス）数が最大となるため、各サブフィールド群（Ｇ１、Ｇ２、Ｇ３）の終端に位置する休止期間（ＩＤＬＥ１、ＩＤＬＥ２、ＩＤＬＥ３）が各々最短となる。
【００５７】
一方、図９の（ｂ）を参照すれば、負荷率が最大である場合には、維持放電に用いられるサステインパルス数が最小となるため、各サブフィールド群（Ｇ１、Ｇ２、Ｇ３）の終端に位置する休止期間（ＩＤＬＥ１、ＩＤＬＥ２、ＩＤＬＥ３）もまた各々最長となる。
【００５８】
ここで、負荷率の大小によらず、このようなサブフィールド配列において、各々第１時間（Ｔｉｍｅ  Ａ、Ｔｉｍｅ  Ｄ）、第２時間（Ｔｉｍｅ  Ｂ、Ｔｉｍｅ  Ｅ）、及び第３時間（Ｔｉｍｅ  Ｃ、Ｔｉｍｅ  Ｆ）の合計は１フレームの時間、つまり２０ｍｓになるように設定される。
【００５９】
また、第１時間（Ｔｉｍｅ  Ａ、Ｔｉｍｅ  Ｄ）は第３時間（Ｔｉｍｅ  Ｃ、Ｔｉｍｅ  Ｆ）と同一に設定されるのが好ましいが、第１時間（Ｔｉｍｅ  Ａ、Ｔｉｍｅ  Ｄ）と第３時間（Ｔｉｍｅ  Ｃ、Ｔｉｍｅ  Ｆ）とが近似するように設定されてもよい。言い換えれば、第１時間（Ｔｉｍｅ  Ａ、Ｔｉｍｅ  Ｄ）が第３時間（Ｔｉｍｅ  Ｃ、Ｔｉｍｅ  Ｆ）より多少長く設定されてもよく、又は第３時間（Ｔｉｍｅ  Ｃ、Ｔｉｍｅ  Ｆ）が第１時間（Ｔｉｍｅ  Ａ、Ｔｉｍｅ  Ｄ）より多少長く設定されても良い。
【００６０】
また、第１時間（Ｔｉｍｅ  Ａ、Ｔｉｍｅ  Ｄ）は、第２時間（Ｔｉｍｅ  Ｂ、Ｔｉｍｅ  Ｅ）と第３時間（Ｔｉｍｅ  Ｃ、Ｔｉｍｅ  Ｆ）との合計より短くなるように設定される。
【００６１】
また、第１時間（Ｔｉｍｅ  Ａ、Ｔｉｍｅ  Ｄ）及び第３時間（Ｔｉｍｅ  Ｃ、Ｔｉｍｅ  Ｆ）の双方とも、第２時間（Ｔｉｍｅ  Ｂ、Ｔｉｍｅ  Ｅ）より長く設定される。したがって、各サブフィールド群（Ｇ１、Ｇ２、Ｇ３）に対応する休止期間においても、休止期間（ＩＤＬＥ１）及び休止期間（ＩＤＬＥ３）の双方ともが、休止期間（ＩＤＬＥ２）より長く設定される。
【００６２】
ここで、図９の（ｂ）に示されているように、負荷率が最大である場合には、各サブフィールド別に割当てられるサステインパルスの数が最小になる。したがって、第１サブフィールド群（Ｇ１）に対応する時間（Ｔｉｍｅ  Ｄ）は、負荷率が最大でない場合（例えば、図９に示される負荷率が最小である場合）における第１サブフィールド群（Ｇ１）に対応する時間（Ｔｉｍｅ  Ａ）に比べて短くなる。したがって、負荷率が最大である場合、第２サブフィールド群（Ｇ２）及び第３サブフィールド群（Ｇ３）の開始位置は、負荷率が最大でない場合に比して変化し、相対的に繰り上げられる。例えば、負荷率が最小である場合に、第２サブフィールド群（Ｇ２）と第３サブフィールド群（Ｇ３）の開始位置が、各々１フレームの開始位置を基準として８ｍｓ、１０ｍｓであれば、負荷率が最大である場合には、その開始位置が各々６ｍｓ、８ｍｓ程度に変更されて繰り上げられる。この時、負荷率が最大であると１フレームに存在する休止期間全体の時間が最も長いので、休止期間（ＩＤＬＥ１、ＩＤＬＥ３）は、負荷率が最大でない場合に比して長くなるように設定される。このとき、第３サブフィールド群（Ｇ３）の休止期間（ＩＤＬＥ３）が、第１サブフィールド群（Ｇ１）の休止期間（ＩＤＬＥ１）より長く設定される。
【００６３】
上記の説明では、負荷率が最大である場合と負荷率が最小である場合のみを比較して、第２サブフィールド群（Ｇ２）と第３サブフィールド群（Ｇ３）の開始時点が変化して繰り上げられることについて説明したが、上記の内容を参照すれば、負荷率が最小である場合から最大である場合まで連続して変わる場合であっても、各々の負荷率に応じて第２サブフィールド群（Ｇ２）と第３サブフィールド群（Ｇ３）の開始位置が変化して繰り上げられるということが、当業者によって容易に理解される。
【００６４】
図１０は、図９に示されたサブフィールド配列に対するサブフィールド位置及び発光の中心位置を示した図であって、（ａ）は負荷率が最小である場合であり、（ｂ）は負荷率が最大である場合である。なお、発光中心は、第１サブフィールド群（Ｇ１）および第２サブフィールド群（Ｇ２）のＭＳＢ（Most  Significant  Bit：最上位ビット）サブフィールド（最上位サブフィールド）によって左右されるので、以下の説明では、発光中心が当該ＭＳＢサブフィールドに位置すると仮定しうる。
【００６５】
図１０の（ａ）に示されているように、負荷率が最小である場合には、サステインパルス数が最大であるので、休止期間（ＩＤＬＥ１、ＩＤＬＥ２、ＩＤＬＥ３）は最短となる。このような条件下では、同一フレーム内における第１サブフィールド群（Ｇ１）の発光中心位置から第３サブフィールド群（Ｇ３）の発光中心位置までの時間である第１時間差（Ｔｉｍｅ_Ｇ１Ｇ３）が、第３サブフィールド群（Ｇ３）の発光中心位置から次のフレームにおける第１サブフィールド群（Ｇ１）の発光中心位置までの時間である第２時間差（Ｔｉｍｅ_Ｇ３Ｇ１）より大きい。つまり、Ｔｉｍｅ_Ｇ１Ｇ３＞Ｔｉｍｅ_Ｇ３Ｇ１の関係が成立する。
【００６６】
したがって、負荷率が最小である場合にはフリッカーが一定量発生しうるが、サブフィールド群の配置構造により、従来技術に比して擬似輪郭発生量は減少する。なお、フリッカーの発生については、画面全体の輝度が低いため、人間の目には感知しにくく、問題になりにくい。
【００６７】
一方、図１０の（ｂ）に示されているように、負荷率が最大になる場合にはサステインパルス数が最小となり、休止期間（ＩＤＬＥ１、ＩＤＬＥ２、ＩＤＬＥ３）は最大となる。
【００６８】
したがって、負荷率が最小である場合に比し、第２サブフィールド群（Ｇ２）と第３サブフィールド群（Ｇ３）の開始位置（Ｓｔ_２、Ｓｔ_３）が変化して第１サブフィールド群（Ｇ１）側に繰り上げられる。このため、第１時間差（Ｔｉｍｅ_Ｇ１Ｇ３）は小さくなり、第２時間差（Ｔｉｍｅ_Ｇ３Ｇ１）は大きくなる。この結果、第１時間差（Ｔｉｍｅ_Ｇ１Ｇ３）と第２時間差（Ｔｉｍｅ_Ｇ３Ｇ１）とが同一となるか、または負荷率が最小である場合に比べて相対的に近似するようになる。つまり、Ｔｉｍｅ_Ｇ１Ｇ３＝Ｔｉｍｅ_Ｇ３Ｇ１、又はＴｉｍｅ_Ｇ１Ｇ３≒Ｔｉｍｅ_Ｇ３Ｇ１の関係が成立する。なお、第１時間差（Ｔｉｍｅ_Ｇ１Ｇ３）と第２時間差（Ｔｉｍｅ_Ｇ３Ｇ１）とを近似させる場合には、第１時間差（Ｔｉｍｅ_Ｇ１Ｇ３）と第２時間差（Ｔｉｍｅ_Ｇ３Ｇ１）との差が所定の範囲内になるように、第２サブフィールド群（Ｇ２）と第３サブフィールド群（Ｇ３）の開始位置（Ｓｔ_２、Ｓｔ_３）が変化すればよく、上記の所定の範囲は、設計により適宜に定められる。
【００６９】
したがって、負荷率が最大である場合には第１サブフィールド群（Ｇ１）と第３サブフィールド群（Ｇ３）との間の時間差（Ｔｉｍｅ_Ｇ１Ｇ３、Ｔｉｍｅ_Ｇ３Ｇ１）が周期性を有するようになり、フリッカーが発生しない。また、サブフィールド群の配置により、従来技術に比して擬似輪郭発生量も減少する。
【００７０】
このように、負荷率が大きくなるにつれて、第１時間差（Ｔｉｍｅ_Ｇ１Ｇ３）と第２時間差（Ｔｉｍｅ_Ｇ３Ｇ）とを同一または近似させることができる理由は、サステインパルス数の減少によって発生した休止期間を利用して、第２サブフィールド群（Ｇ２）と第３サブフィールド群（Ｇ３）の開始位置（Ｓｔ_２、Ｓｔ_３）を移動させることが可能であるからである。したがって、以上のように説明した休止期間を利用する本発明の画像表示方法によれば、負荷率のレベルに応じて変更される休止期間を利用し、当業者によってフリッカーを低減させる範囲内で、適切に第２サブフィールド群（Ｇ２）及び第３サブフィールド群（Ｇ３）の開始位置（Ｓｔ_２、Ｓｔ_３）を移動させることができる。
【００７１】
図１１は、負荷率（ＡＰＣレベルに対応）とサブフィールド期間（占有時間）との関係を示した図である。（ａ）は、図１に示された従来のサブフィールド配列の場合であり、（ｂ）は、図４に示された従来のサブフィールド配列の場合であり、（ｃ）は、本発明の実施の形態によるサブフィールド配列の場合である。
【００７２】
図１１の（ａ）及び（ｂ）に示されているように、従来技術によるサブフィールド配列では各サブフィールド群の開始位置が常に固定されている。したがって、各サブフィールドの組み合わせによるＭＳＢサブフィールド間の時間差によってフリッカーが発生する。
【００７３】
しかし、図１１の（ｃ）に示されているように、本発明の実施の形態によるサブフィールド配列では、負荷率によって各サブフィールド群の開始位置を変化させる。つまり、負荷率が高くなるのにしたがって第２サブフィールド群（Ｇ２）及び第３サブフィールド群（Ｇ３）の開始位置を第１サブフィールド群（Ｇ１）側に繰り上げる。この結果、第１サブフィールド群（Ｇ１）と第３サブフィールド群（Ｇ３）との間の時間差が周期性を有するように開始位置が調整されて、結果的にフリッカーの発生が減少し、又はフリッカーが発生しない。
【００７４】
以上のように、本実施の形態の画像表示方法では、入力映像信号の負荷率によって、３個のサブフィールド群のうち、時間上二番目に位置するサブフィールド群（Ｇ２）と三番目に位置するサブフィールド群（Ｇ３）の開始時点（Ｓｔ＿２、Ｓｔ＿３）が変化する。言い換えれば、入力映像信号の負荷率が特定値以上である場合（たとえば、予め定められた最小値より大きい場合）、一つのフレーム内及び隣接するフレーム間に各々形成されるサブフィールド群（Ｇ１，Ｇ３）間の発光中心が周期的に形成されるようにしている。
【００７５】
特に、上記の開始時点（Ｓｔ＿２、Ｓｔ＿３）は、前記一番目に位置するサブフィールド群（Ｇ１）の発光中心から前記三番目に位置するサブフィールド群（Ｇ３）の発光中心までの時間（第１時間差：Ｔｉｍｅ_Ｇ１Ｇ３）と、前記三番目に位置するサブフィールド群（Ｇ３）の発光中心から次のフレームにおいて時間上一番目に位置するサブフィールド群（Ｇ１）の発光中心までの時間（第２時間差：Ｔｉｍｅ_Ｇ３Ｇ１）とが近づくように変化する。
【００７６】
また、発光中心が当該ＭＳＢサブフィールド(最上位サブフィールド）に位置すると仮定できるため、上記の開始時点（Ｓｔ＿２、Ｓｔ＿３）は、前記一番目に位置するサブフィールド群（Ｇ１）のＭＳＢサブフィールドの開始時点から前記三番目に位置するサブフィールド群（Ｇ３）のＭＳＢサブフィールドの開始時点までの時間（上記の第１時間差：Ｔｉｍｅ_Ｇ１Ｇ３に対応）と、前記三番目に位置するサブフィールド群（Ｇ３）のＭＳＢサブフィールドの開始時点から次のフレームにおいて時間上一番目に位置するサブフィールド群（Ｇ１）のＭＳＢサブフィールドの開始時点までの時間（上記の第２時間差：Ｔｉｍｅ_Ｇ３Ｇ１に対応）とが近づくように変化する。
【００７７】
この場合、上記の第１時間差（Ｔｉｍｅ_Ｇ１Ｇ３）と第２時間差（Ｔｉｍｅ_Ｇ３Ｇ１）とが同一となるように、上記の開始時点（Ｓｔ＿２、Ｓｔ＿３）を移動してもよく、
第１時間差（Ｔｉｍｅ_Ｇ１Ｇ３）と第２時間差（Ｔｉｍｅ_Ｇ３Ｇ１）との差が所定の範囲内となるように、上記の開始時点（Ｓｔ＿２、Ｓｔ＿３）を移動してもよい。
【００７８】
次に、本発明の実施の形態によるＰＤＰの画像表示装置を説明する。
【００７９】
図１２は、本発明の実施の形態によるＰＤＰの画像表示装置のブロック図である。
【００８０】
図１２に示されているように、本発明の実施の形態によるＰＤＰの画像表示装置は、映像信号処理部１００、垂直周波数検出部２００、ガンマ補正及び誤差拡散部３００、メモリ制御部４００、アドレス駆動部５００、ＡＰＣ部（自動電力制御部）６００、サブフィールド可変範囲判断部７００、維持・走査パルス駆動制御部８００、及び維持・走査パルス駆動部９００を含む。
【００８１】
映像信号処理部１００は、外部から入力される入力映像信号をデジタル化してデジタル映像データを生成する。
【００８２】
垂直周波数検出部２００は、映像信号処理部１００から出力されるデジタル映像データを分析して、入力される映像データが６０ＨｚのＮＴＳＣ信号であるか又は５０ＨｚのＰＡＬ信号であるかを判断し、その判断結果をデータスイッチ値としてデジタル映像データと共に出力する。
【００８３】
ガンマ補正及び誤差拡散部３００は、垂直周波数検出部２００から出力されるデジタル映像データを受信して、ＰＤＰの特性に合わせてガンマ値を補正するとともに、周辺の画素に対して表示誤差を拡散させて出力する。この時、垂直周波数検出部２００から出力される映像信号が５０Ｈｚ映像信号であるか６０Ｈｚ映像信号であるかを示すデータスイッチ値は、そのままメモリ制御部４００及びＡＰＣ部６００に出力される。
【００８４】
メモリ制御部４００は、ガンマ補正及び誤差拡散部３００から出力されるデジタル映像データ、及びデータスイッチ値を受信し、データスイッチ値によって識別される５０Ｈｚ映像信号（ＮＴＳＣ映像信号）である場合と６０Ｈｚ映像信号（ＰＡＬ映像信号）である場合とを分離して、入力されるデジタル映像データに対応するサブフィールドデータを生成する。
【００８５】
データスイッチ値が６０Ｈｚの映像信号（ＮＴＳＣ映像信号）を示す場合には、従来の一つのサブフィールド群としてサブフィールドデータを生成する方式でデジタル映像データに対応するサブフィールドデータを生成する。
【００８６】
しかし、データスイッチ値が５０Ｈｚの映像信号（ＰＡＬ映像信号）を示す場合には、個の連続的なサブフィールド群から構成されている複数のサブフィールドに対応するサブフィールドデータを生成する。より具体的には、図７及び図９の（ａ）及び（ｂ）に示されているように３個のサブフィールド群（Ｇ１、Ｇ２、Ｇ３）に分離し、第２サブフィールド群（Ｇ２）にサブフィールドデータのＬＳＢ及びＬＳＢ＋１のデータが位置するようにデジタル映像データに対応するサブフィールドデータを生成する。この時、第１サブフィールド群（Ｇ１）には６個のサブフィールドが存在し、第２サブフィールド群（Ｇ２）には２個のサブフィールドが存在し、第３サブフィールド群（Ｇ３）には６個のサブフィールドが存在するようにサブフィールドデータを生成する。このように生成されるサブフィールドデータはメモリ入出力処理され、アドレス駆動部５００に出力される。
【００８７】
アドレス駆動部５００は、メモリ制御部４００から出力されるサブフィールドデータに対応するアドレスデータ、すなわち、各サブフィールドに対応するアドレスデータを生成して、ＰＤＰ１０００のアドレス電極（Ａ１、Ａ２、…Ａｍ）に印加する。
【００８８】
一方、ＡＰＣ部６００は、ガンマ補正及び誤差拡散部３００から出力される映像データを用いて負荷率を検出し、検出された負荷率によってＡＰＣレベル（自動電力制御レベル）を計算して、計算されたＡＰＣレベルに対応するサステインパルス数などを算出して出力する。
【００８９】
サブフィールド可変範囲判断部７００は、ＡＰＣ部８００から出力される負荷率によって各サブフィールドの可変範囲、特に第２サブフィールド群（Ｇ２）と第３サブフィールド群（Ｇ３）の可変範囲を判断し、判断された可変範囲内で各サブフィールドの開始位置を決定する。ここで、第２サブフィールド群（Ｇ２）の可変範囲は、第１サブフィールド群（Ｇ１）のＭＳＢサブフィールドの開始時点から第３サブフィールド群（Ｇ３）のＭＳＢサブフィールドの開始時点までの時間差と、第３サブフィールド群（Ｇ３）の開始時点から次のフレームに存在する第１サブフィールド群（Ｇ１）のＭＳＢサブフィールドの開始時点までの時間差とが周期性を有する範囲である。
【００９０】
一方、維持・走査パルス駆動制御部８００は、サブフィールド可変範囲判断部７００から出力されるサステインパルス数、各サブフィールドのアドレスデータ、各サブフィールドの開始位置、及びデータスイッチ値を受信し、データスイッチ値によって５０Ｈｚ映像信号である場合と６０Ｈｚ映像信号である場合とを分離し、各々サブフィールド配を生成して維持・走査パルス駆動部９００に出力する。
【００９１】
維持・走査パルス駆動部９００は、維持・走査パルス駆動制御部８００から出力されるサブフィールド配列構造に基づく制御信号（サステインパルス及び走査パルス）を生成し、ＰＤＰ１０００の走査電極（Ｘ１、Ｘ２、…Ｘｎ）と維持電極（Ｙ１、Ｙ２、…、Ｙｎ）に印加する。
【００９２】
以上、本発明は最も実際的であり好ましい実施の形態を参照して説明されたが、本発明は前記開示された実施の形態に限定されず、本発明の特許請求の範囲内に属する様々な変形及び等値物も含む。
【図面の簡単な説明】
【００９３】
【図１】従来のＰＤＰのサブフィールドの配列を示した図である。
【図２】図１に示されたサブフィールド配列を利用して一部の低階調を実現した例を示した図である。
【図３】図１に示されたサブフィールド配列において、隣接するフレームの階調が４と３である場合、画像が移動する時に発生する擬似輪郭の発生概念図である。
【図４】従来の他のＰＤＰのサブフィールド配列を示した図である。
【図５】図４に示されたサブフィールド配列を利用して一部の低階調を実現した例を示した図である。
【図６】図４に示された従来のサブフィールド配列における負荷率別のサブフィールドの位置及び発光の中心位置を示した図であって、（ａ）は負荷率が最小である場合であり、（ｂ）は負荷率が最大である場合を示した図である。
【図７】本発明の実施の形態によるサブフィールド配列を示した図である。
【図８】本発明の実施の形態によるサブフィールド配列において、隣接するフレームの階調が４と３である場合、画像が移動する時に発生する擬似輪郭の発生概念図である。
【図９】本発明の実施の形態によるサブフィールド配列のＡＰＣによる変形形態を示した図であって、（ａ）は負荷率が最小である場合であり、（ｂ）は負荷率が最大である場合である。
【図１０】図９に示されたサブフィールド配列におけるサブフィールドの位置及び発光の中心位置を示した図であって、（ａ）は負荷率が最小である場合であり、（ｂ）は負荷率が最大である場合を示した図である。
【図１１】負荷率とサブフィールド期間（占有時間）との関係を示した図であって、（ａ）は図１に示された従来のサブフィールド配列の場合であり、（ｂ）は図４に示された従来のサブフィールド構造の場合であり、（ｃ）は本発明の実施の形態によるサブフィールド配列の場合である。
【図１２】本発明の実施の形態によるＰＤＰの画像表示装置のブロック図である。
【符号の説明】
【００９４】
１００    映像信号処理部、
２００    垂直周波数検出部、
３００    ガンマ補正及び誤差拡散部、
４００    メモリ制御部、
５００    アドレス駆動部、
６００    ＡＰＣ部、
７００    サブフィールド可変範囲判断部、
８００    維持・走査パルス駆動制御部、
９００    維持・走査パルス駆動部、
１０００    ＰＤＰ。
【図１】
2005134900.tif 000003
【図２】
2005134900.tif 000004
【図３】
2005134900.tif 000005
【図４】
2005134900.tif 000006
【図５】
2005134900.tif 000007
【図６】
2005134900.tif 000008
【図７】
2005134900.tif 000009
【図８】
2005134900.tif 000010
【図９】
2005134900.tif 000011
【図１０】
2005134900.tif 000012
【図１１】
2005134900.tif 000013
【図１２】
2005134900.tif 000014